Podtech/llm-jp-corpus-v4-ja_patent huggingface dataset:
【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】
デジタルビデオデータを中継する方法であって、
前記方法は、そのシーンの複数の繰り返されるフレームに関するデジタルデータに適用されるために、ビデオイメージの一シーンを表す１つのフレームのデジタルデータの一セット、１以上のフィルターのアセンブルデータ、及びパラメーターを提供することを含み、
通信媒体を通して１の位置からもう１つの位置へデジタルデータ、フィルターとパラメーターのデータを中継し、
そして、前記もう１つの位置で、１以上のビデオフィルター及びパラメーターを持つ複数の繰り返されるフレームに関するそのデジタルデータを受信し、それを再生成し、それによって、その再生成されたビデオフレームに関する明白なビデオムービーを該もう１つの位置で生成し、かつ、それによって、もし、再生成されたビデオフレームのすべてのデジタルデータが伝送されたとしたならば、伝送媒体を介する伝送時間が同一内容のビデオムービーのデジタルデータを伝送するために要求される時間よりも短くなるために適用されることを特徴とする方法。
【請求項２】
前記通信媒体がインターネットであることを特徴とする請求項１記載の方法。
【請求項３】
前記フィルターは、ズーム、パン、チルト、ディストート、モーフ、フェード、及び他の効果フィルターの１以上を含むことを特徴とする請求項１記載の方法。
【請求項４】
少なくとも１つのフレームの前記デジタルデータは、通信媒体を介して中継される前に特定のコーデックによって圧縮され、前記のもう１つの位置で同じコーデックによって解凍されることを特徴とする請求項１記載の方法。
【請求項５】
サーバコンピュータが前記１の位置に提供され、パーソナルコンピューター（ＰＣ）が前記もう１つの位置に提供され、インターネットは、インターネット上のウェブサイトとしてアクセス可能なように接続される該サーバコンピュータを持つ通信媒体であり、そこでは、前記デジタルデータ及び前記フィルターとパラメーターのデータは、前記ＰＣによってＰＣ用の「プラグイン」ファイルとして前記サーバからダウンロード可能であることを特徴とする請求項４記載の方法。
【請求項６】
前記シーンは、二次元領域の一部であり、その領域の平面図も前記１の位置からもう１つの位置に中継されるために、前記平面図は、明白なビデオで同時に再生成されることを特徴とする請求項１記載の方法。
【請求項７】
前記平面図は、明白なビデオの明白な動きの再生成と一致する移動の通路を表示するために、通路の道順の線を含むことを特徴とする請求項６記載の方法。
【請求項８】
明白なビデオのプレイにおける所定の瞬間に見る通路の道順上での正確に近い位置を表示するために、通路の道順の線で表示が示されることを特徴とする請求項７記載の方法。
【請求項９】
タイミングデータは、前記表示が要求される瞬間にその線の終わりまでたどるために、通路の道順の前記線の終了ポイント時間を定義するために、前記１の位置から前記もう１つの位置まで中継されることを特徴とする請求項８記載の方法。
【請求項１０】
複数のシーンがあり、各シーンの複数の繰り返されるフレームに関するデジタルデータに適用されるために、それぞれが１以上のフィルター及びパラメーターの独自のデータを持ち、各シーンのシングルフレームのすべてのデジタルデータ、及び１以上のフィルターの前記データが前記１の位置から前記もう１つの位置に中継され、前記もう１つの位置ですべてのシーンを含む明白なビデオとして受信され、再生成されることを特徴とする請求項９記載の方法。
【請求項１１】
前記タイミングデータは、明白なビデオムービーが１のシーンから次のシーンに変わる変化時を表すため、前記表示器は、前記明白なビデオにシーンの変化があるとほぼ同時に前記通路の道順上の方向転換に達することを特徴とする請求項１０記載の方法。
【請求項１２】
各シーンのデジタルデータ、その所要時間、フィルター効果、及びそれらの始まりと終わりの時間が１つのファイルでアセンブルされ、二次元領域の前記平面図を表すデータがもう１つのファイルでアセンブルされ、前記タイミングデータは、さらにもう１つのファイルでアセンブルされ、そして、３つのファイルすべてが１の位置から前記もう１つの位置へ「プラグイン」ファイルとして中継され、それから、前記明白なビデオムービーの生成のために前記もう１つの位置で使用されることを特徴とする請求項１０記載の方法。
【請求項１３】
前記明白なビデオは、前記パーソナルコンピューターのモニタースクリーン上に表示可能なビデオコントローラーのプレイ及びストップボタンによって前記もう１つの位置で制御可能であることを特徴とする請求項５記載の方法。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  ヘッドホンによるリスナーに対する空間的音声環境をシミュレーションする方法であって、
空間成分を有する一連の音声信号を入力することと、
前記リスナーの周囲の前記ヘッドホンの現在の向きを決定することと、
該リスナー周囲に配置された空間的に静止した一連のバーチャルスピーカから該リスナーの両耳へのマッピング関数を決定することと、
前記現在の向きを利用して、前記一連のバーチャルスピーカへの前記音声信号の現在のパニングを決定し、前記バーチャルスピーカの各々についてパニングされた音声入力信号を生成することと、
前記マッピング関数を利用して、前記リスナーの両耳へ前記パニングされた音声入力信号をマッピングすることと、
前記マッピングされた、パニングされた音声入力信号を結合して、前記ヘッドホンについての左右出力信号を生成することと、
を具備する方法。
【請求項２】  前記バーチャルスピーカが、前記リスナーの周囲に実質的に等角で配置されたシミュレーションされたスピーカのセットを含む、請求項１に記載の方法。
【請求項３】  前記バーチャルスピーカが、実質的にリスナーの周囲の水平面にある、請求項１に記載の方法。
【請求項４】  前記バーチャルスピーカが、リスナーを完全に３次元で囲むよう配置される、請求項１に記載の方法。
【請求項５】  前記一連の音声信号が、音声環境についてのドルビーデジタルエンコーディングからなる、請求項１に記載の方法。
【請求項６】  ヘッドホンによるリスナーに対する空間的音声環境をシミュレーションする装置であって、
第一の基準フレームにてリスニングするための空間的音声環境を構成する一連の信号を入力する入力手段と、
所定数のバーチャル出力信号の中で前記一連の信号をパニングして、前記ヘッドホンの向きに関して固定された第二の基準フレームにおける複数のパニングされたバーチャル出力スピーカ信号を生成するパニング手段であって、前記第一の基準フレームに対する前記ヘッドホンの向きを表示する信号を受け入れるものと、
前記バーチャル出力スピーカ信号を左右ヘッドホンチャンネル信号にマッピングする頭部関連転送関数マッピング手段と、
前記ヘッドホンによる再生のため前記左右ヘッドホンチャンネル信号の各々を被結合左右ヘッドホン信号へと結合する結合手段と、
を具備し、該頭部関連転送関数マッピング手段および該結合手段が、前記第一の基準フレームに対する前記ヘッドホンの様々な向きについて変化する必要がないようにした装置。
【請求項７】  前記パニング手段、前記頭部関連転送関数マッピング手段および前記結合手段が、好適にプログラムされたデジタル信号プロセッサの形式で実現される、請求項６に記載の装置。
【請求項８】  ヘッドホンによるリスナーに対する空間的音声環境をシミュレーションする装置であって、
第一の基準フレームにてリスニングするための空間的音声環境を構成する一連の信号を入力するように適合せしめられた入力モジュールと、
所定数のバーチャル出力信号の中で前記一連の信号をパニングして、前記ヘッドホンの向きに関して固定された第二の基準フレームにおける複数のパニングされたバーチャル出力スピーカ信号を生成するように適合せしめられたパニングモジュールであって、前記第一の基準フレームに対する前記ヘッドホンの向きを表示する信号を受け入れるものと、
前記バーチャル出力スピーカ信号を左右ヘッドホンチャンネル信号にマッピングするように適合せしめられた頭部関連転送関数マッピングモジュールと、
前記ヘッドホンによる再生のため前記左右ヘッドホンチャンネル信号の各々を被結合左右ヘッドホン信号へと結合するように適合せしめられた結合モジュールと、
を具備し、該頭部関連転送関数マッピングモジュールおよび該結合モジュールが、前記第一の基準フレームに対する前記ヘッドホンの様々な向きについて変化する必要がないようにした装置。
【請求項９】  前記パニングモジュール、前記頭部関連転送関数マッピングモジュールおよび前記結合モジュールが、好適にプログラムされたデジタル信号プロセッサの形式で実現される、請求項８に記載の装置。
【請求項１０】  前記バーチャル出力スピーカ信号が、前記リスナーの周囲に実質的に等角で配置されたシミュレーションされたスピーカのセットを含むバーチャルスピーカに対応する、請求項８に記載の装置。
【請求項１１】  前記バーチャルスピーカが、実質的にリスナーの周囲の水平面にある、請求項１０に記載の装置。
【請求項１２】  前記バーチャルスピーカが、リスナーを完全に３次元で囲むよう配置される、請求項１０に記載の装置。
【請求項１３】  前記一連の音声信号が、音声環境についてのドルビーデジタルエンコーディングからなる、請求項８に記載の装置。
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  多心ケーブル（２）の絶縁剥がし装置であって、
固定装置と、
少なくとも２つの対向作動する回転不可能な刃物（７）と、
刃物（７）に対して軸方向に距離をあけて設けられた少なくとも２つの対向作動するジョー（６）と、
を備え、
ジョー（６）がケーブル心線（８）の方向に互いに移動可能であって、従って、ケーブル（２）の方に向かう方向に移動可能であり、
軸方向における前記距離が一定であり、
動作状態において、固定装置とジョー（６）あるいは刃物（７）との間におけるケーブル（２）の軸方向における相対的な動きが可能であって、これにより、ジョー（６）が、絶縁剥がし動作となるようにケーブル心線（８）をケーブルの軸に沿って動かし、ねじれた状態または平行でない状態から１つの平面に入るようにすることを特徴とする絶縁剥がし装置。
【請求項２】  ジョー（６）に、ケーブル心線（８）の方向にばねが作用していることを特徴とする、請求項１に記載の絶縁剥がし装置。
【請求項３】  ジョー（６）が刃物（７）に対して、あるいは刃物を受ける刃物ホルダに対して支えられており、および／または刃物（７）またはその刃物ホルダによって支持されることを特徴とする、請求項１または２に記載の絶縁剥がし装置。
【請求項４】  各刃物（７）が、ジョー（６）をケーブル心線（８）の方向に案内するガイドレールを有することで、ジョー（６）が、互いに対して、ケーブル（２）の方に向かって移動可能であり、動作状態において、ケーブル（２）とジョー（６）あるいは刃物（７）との間における軸方向における相対的な動きを可能とし、これにより、ジョーが、絶縁剥がし動作となるようにケーブル心線（８）をケーブルの軸に沿って動かし、ねじれた状態または平行でない状態から１つの平面に入るようにすることを特徴とする、請求項１〜３のいずれかに記載の絶縁剥がし装置のための一組の刃物（７）。
【請求項５】  ジョー（６）が刃物（７）に対して弾力的に支えられていることを特徴とする、請求項４に記載の刃物。
【請求項６】  ケーブル心線（８）の方を向いたジョー面が、静止状態のとき、刃物（７）の切れ刃（１０）よりケーブル心線（８）に近いことを特徴とする、請求項１〜３のいずれかに記載の絶縁剥がし装置又は請求項４または５に記載の刃物。
【請求項７】  刃物（７）は、心線絶縁材（９）の厚さに対応して成形された成形刃物として形成されており、該成形刃物が相互に隣接し、その数が少なくとも絶縁が剥がされるべきケーブル心線（８）の数に対応している半円形の部分刃を有することを特徴とする、請求項１〜３のいずれかに記載の絶縁剥がし装置のための刃物又は請求項４または５に記載の刃物。
【請求項８】  少なくとも１層ずつの心線絶縁（９）と１層のケーブル外被（５）を有する少なくとも２本のケーブル心線（８）をもつ多心ケーブル（２）の絶縁剥がし方法において、
ケーブル（２）が固定装置によって支持され、
ケーブル外被（５）が除去され、
心線絶縁（９）に回転しない刃物（７）によって切断され、剥がされる、
工程を有し、更に、
刃物（７）を切り込ませる前に、ケーブル心線（８）を機械的に、ケーブルと絶縁剥がし可能な部品（６）との間の絶縁剥がし動作によって相互に平行に整列させ、刃物（７）の切れ刃（１０）に平行な面内に入るようにし、これにより、絶縁剥がし可能な部品（６）と刃物（７）との間の軸方向における距離が一定であること、あるいは一定に保たれることを特徴とする方法。
【請求項９】  擦り運動が刃物（７）および／またはジョー（６）の、固定装置を基準とした、ケーブル心線（８）に沿った相対運動によって、同時に刃物（７）および／またはジョー（６）がケーブル心線（８）に対してゆっくりと、段階的に閉じることにより、好ましくは尚早な切り込みを回避して、生成されることを特徴とする、請求項８に記載の方法。
【請求項１０】  擦り運動を作用させるために独自の、相互に対向して、またケーブル心線（８）の方向に作動するジョー（６）が設けられ、該ジョーが刃物（７）から独立して、または該刃物と共同で、固定装置に対してケーブル心線（８）に沿って相対移動を行い、同時に相互に対向して相対移動を行うことを特徴とする、請求項８または９に記載の方法。
【請求項１１】  ジョー（６）には、閉鎖方向にばねの荷重がかかっていることを特徴とする、請求項１０に記載の方法。
【請求項１２】  １つずつのジョー（６）が、それぞれ１つずつの刃物（７）によって支持され、該刃物に対して弾力的に支えられており、ケーブル心線（８）の方を向いたジョー面が、静止状態のとき、それぞれ関係付けられている刃物（７）の切れ刃（１０）よりケーブル心線（８）に近いことを特徴とする、請求項１１に記載の方法。
【請求項１３】  ジョー（６）が固有のガイド内でそれぞれ関係付けられている刃物ないし関係付けられている刃物ホルダを支持しているのと同じ工具ホルダに弾力的に支持されており、このばね力は、擦り過程の際に心線絶縁が実質的に変形しないように設定されていることを特徴とする、請求項８〜１１のいずれかに記載の方法。
【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】 
下記構造より成る群から選択される構造を有するレチノイド化合物。
【化１】
2002510667.tif 000001
（式中、Ｒ１は、Ｈ、エチル、メチル、ｎ−プロピル、ｉ−プロピル、ｔ−ブチル、フェニル、ベンジル、環状アルキル（Ｃ３−Ｃ８）、アリールおよびアリールアルキルより成る群から選択され、そしてＲ２は、２−メチルプロピル、ｎ−ブチル、シクロヘキシル、３−シクロヘキセニル、ベンジル、環状アルキル（Ｃ３−Ｃ８）、およびアリールアルキルより成る群から選択される。）
【請求項２】 
下記構造より成る群から選択される構造を有するレチノイド化合物。
【化２】
2002510667.tif 000002
（式中、Ｒ１は、フェニル、ベンジル、環状アルキル（Ｃ３−Ｃ８）、アリールおよびアリールアルキルより成る群から選択され、そしてＲ２は、Ｈ、エチル、メチル、ｎ−プロピルおよびｉ−プロピルより成る群から選択される。）
【請求項３】 
下記構造より成る群から選択される構造を有するレチノイド化合物。
【化３】
2002510667.tif 000003
（式中、前記Ｒ１は、アリール環上で１つまたは２つの置換基を表し、そしてＨ、エチル、メチル、ｎ−プロピル、ｉ−プロピル、ｔ−ブチル、フェニル、ベンジル、クロロ、フルオロ、メトキシ、エトキシ、ベンジルオキシ、環状アルキル（Ｃ１−Ｃ８）、アリール、アリールアルキル、アルキルオキシ、アリールオキシ、アリールアルキルオキシ、およびハロゲンより成る群から選択され、そしてＲ２は、Ｈ、エチル、メチル、ｎ−プロピル、ｉ−プロピル、２−メチルプロピル、ｎ−ブチル、シクロヘキシル、３−シクロヘキセニル、ベンジル、メトキシ、エトキシ、ベンジルオキシ、環状アルキル（Ｃ１−Ｃ８）、アリール、アリールアルキル、アルキルオキシ、アリールオキシおよびアリールアルキルオキシより成る群から選択され、そしてｎ＝０−３である。）
【請求項４】 
下記構造を有する、（９Ｚ）−ＵＡＢ２０、（全Ｅ）−ＵＡＢ２０、（９Ｚ）−ＵＡＢ２１および（全Ｅ）−ＵＡＢ２１より成る群から選択されることを特徴とする請求項１記載のレチノイド化合物。
【化４】
2002510667.tif 000004
（式中、前記（９Ｚ）−ＵＡＢ２０および（全Ｅ）−ＵＡＢ２０は、Ｒ１としてＰｈ基を、そしてＲ２としてｉ−プロピル基を有し、そして（９Ｚ）−ＵＡＢ２１および（全Ｅ）−ＵＡＢ２１は、前記Ｒ１としてＣＨ２ＣＨ（ＣＨ３）２を、そしてＲ２としてｉ−プロピル基を有する。）
【請求項５】  
下記構造を有する、（９Ｚ）−ＵＡＢ３０、（９Ｚ）−ＵＡＢ３１、（９Ｚ）−ＵＡＢ３２、（９Ｚ）−ＵＡＢ３３、（全Ｅ）−ＵＡＢ３３、（９Ｚ）−ＵＡＢ３４、および（９Ｚ）−ＵＡＢ３５：
【化５】
2002510667.tif 000005
（式中、前記（９Ｚ）−ＵＡＢ３０はアリール環上に置換基Ｈを有し、（９Ｚ）−ＵＡＢ３１はアリール環上に置換基５’−メトキシを有し、（９Ｚ）−ＵＡＢ３２はアリール環上に置換基６’−メトキシを有し、（９Ｚ）−ＵＡＢ３３はアリール環上に置換基７’−メトキシを有し、（全９Ｅ）−ＵＡＢ３３はアリール環上に置換基７’−メトキシを有し、（９Ｚ）−ＵＡＢ３４はシクロアルキル環上に置換基４’−メチルを有し、（９Ｚ）−ＵＡＢ３５はアリール環上に２つの置換基５’，７’−ジメチルを有する。）；ならびに、
下記構造を有する、（９Ｚ）−ＵＡＢ６０、（９Ｚ）−ＵＡＢ６１および（９Ｚ）−ＵＡＢ６２： 
【化６】
2002510667.tif 000006
（式中、前記（９Ｚ）−ＵＡＢ６０はアリール環上に置換基Ｈを有し、（９Ｚ）−ＵＡＢ６１はアリール環上に置換基５’−メトキシを有し、そして（９Ｚ）−ＵＡＢ６２はアリール環上に置換基７’−メトキシを有する。）
よりなる群から選択されることを特徴とする請求項３記載のレチノイド化合物。
【請求項６】
下記構造を有する（９Ｚ）−ＵＡＢ４０であることを特徴とする請求項３記載のレチノイド化合物。
【化７】
2002510667.tif 000007
【請求項７】 
下記構造を有する（９Ｚ）−ＵＡＢ７０であることを特徴とする請求項３記載のレチノイド化合物。
【化８】
2002510667.tif 000008
【請求項８】
ＵＡＢ８を含有することを特徴とする、新生物形成症状を示す個体を処置するための組成物。
【請求項９】 
請求項１から７いずれか１項記載の化合物を含有することを特徴とする、新生物形成症状を示す個体を処置するための組成物。
【請求項１０】 
請求項１から７いずれか１項記載の化合物を含有することを特徴とする、個体での新生物形成症状の発生を軽減または予防するための組成物。
【請求項１１】 
ＵＡＢ８／類縁体およびＵＡＢ３０／類縁体より成る群から選択される２または２以上のレチノイド化合物を組み合わせたことを特徴とする、新生物形成症状を示す個体を処置するための組成物。
【請求項１２】 前記化合物を、４−ヒドロキシフェニルレチナミドと組み合わせたことを特徴とする請求項８から１１いずれか１項記載の組成物。
【請求項１３】 前記新生物形成症状が、皮膚癌、胸部癌、膀胱癌、前立腺癌、肺癌、結腸癌および白血病より成る群から選択されることを特徴とする請求項８から１２いずれか１項記載の組成物。
【請求項１４】 
前記化合物が、約１０ｍｇ／ｋｇから約３００ｍｇ／ｋｇまでの用量で投与されることを特徴とする請求項８から１３いずれか１項記載の組成物。
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  少なくとも１つの薬学的に活性な薬剤および緩衝液を含む薬学的組成物であって、ここで該緩衝液が、コハク酸および対イオンから実質的になる、組成物。
【請求項２】  前記対イオンが、ナトリウム、カリウム、アンモニウムおよび前記薬学的に活性な薬剤からなる群より選択される、請求項１に記載の組成物。
【請求項３】  コハク酸の濃度が約０．５〜１００ｍＭである、請求項１に記載の組成物。
【請求項４】  前記コハク酸化合物の濃度範囲が約２〜２０ｍＭである、請求項３に記載の組成物。
【請求項５】  前記コハク酸化合物の濃度が約１０ｍＭである、請求項４に記載の組成物。
【請求項６】  前記組成物が約４．０〜７．０のｐＨを有する、請求項１に記載の組成物。
【請求項７】  前記ｐＨが約４．６〜６．６である、請求項６に記載の組成物。
【請求項８】  前記ｐＨが約６．０である、請求項７に記載の組成物。
【請求項９】  該組成物が等張であるように、少なくとも１つの張度調整剤の十分な濃度をさらに含む、請求項１に記載の組成物。
【請求項１０】  前記張度調整剤が塩化ナトリウムである、請求項９に記載の組成物。
【請求項１１】  前記薬学的に活性な化合物がインスリン様増殖因子１またはその生物学的に活性な改変体である、請求項１に記載の組成物。
【請求項１２】  前記組成物のｐＨが約６．０であり、前記コハク酸化合物の濃度が約１０ｍＭであり、そして該組成物が約１４０ｍＭの塩化ナトリウムをさらに含む、請求項１１に記載の薬学的組成物。
【請求項１３】  前記組成物が液体である、請求項１に記載の薬学的組成物。
【請求項１４】  前記組成物が凍結乾燥されている、請求項１に記載の薬学的組成物。
【請求項１５】  疾患または状態の処置、予防または診断のための薬学的組成物であって、該薬学的組成物は、請求項１に記載の薬学的組成物の薬学的有効量を含む、薬学的組成物。
【請求項１６】  疾患または状態の処置、予防または診断のための薬学的組成物であって、該薬学的組成物は、請求項７に記載の薬学的組成物の薬学的有効量を含む、薬学的組成物。
【請求項１７】  疾患または状態の処置、予防または診断のための薬学的組成物であって、該薬学的組成物は、請求項８に記載の薬学的組成物の薬学的有効量を含む、薬学的組成物。
【請求項１８】  疾患または状態の処置、予防または診断のための薬学的組成物であって、該薬学的組成物は、請求項９に記載の薬学的組成物の薬学的有効量を含む、薬学的組成物。
【請求項１９】  疾患または状態の処置、予防または診断のための薬学的組成物であって、該薬学的組成物は、請求項１１に記載の薬学的組成物の薬学的有効量を含む、薬学的組成物。
【請求項２０】  疾患または状態の処置、予防または診断のための薬学的組成物であって、該薬学的組成物は、請求項１２に記載の薬学的組成物の薬学的有効量を含む、薬学的組成物。
【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  治療有効量の治療薬ならびに低分子量アルコールおよびグリコール誘導体からなる群から選択される有機溶媒を含む、薬学的組成物。
【請求項２】  前記低分子量アルコールがエタノールである、請求項１に記載の組成物。
【請求項３】  前記グリコール誘導体がグリセリンおよびＰＧからなる群から選択される、請求項１に記載の組成物。
【請求項４】  前記グリコール誘導体がＰＧである、請求項３に記載の組成物。
【請求項５】  前記治療薬がビタミンＤ化合物である、請求項１に記載の組成物。
【請求項６】  前記ビタミンＤ化合物がパラカルシンおよびカルシトリオールからなる群から選択される、請求項５に記載の組成物。
【請求項７】  前記低分子量アルコールが１５〜３０％（ｖ／ｖ）の範囲で存在する、請求項１に記載の組成物。
【請求項８】  前記グリコール誘導体が２０〜３５％（ｖ／ｖ）の範囲で存在する、請求項１に記載の組成物。
【請求項９】  前記低分子量アルコールが１５〜３０％（ｖ／ｖ）の範囲で存在し、且つ前記グリコール誘導体が２０〜３５％（ｖ／ｖ）の範囲で存在する、請求項１に記載の組成物。
【請求項１０】  前記低分子量アルコールがエタノールであり、且つ前記グリコール誘導体がポリプロピレングリコールである、請求項９に記載の組成物。
【請求項１１】  さらに水を含む、請求項１０に記載の組成物。
【請求項１２】  前記治療薬がビタミンＤ化合物である、請求項１１に記載の組成物。
【請求項１３】  前記ビタミンＤ化合物がパラカルシンまたはカルシトリオールである、請求項１２に記載の組成物。
【請求項１４】  前記ビタミンＤ化合物が２μｇ／ｍｌと１０μｇ／ｍｌとの間で存在する、請求項１３に記載の組成物。
【請求項１５】  前記ビタミンＤ化合物が５μｇ／ｍｌで存在する、請求項１４に記載の組成物。
【請求項１６】  前記処方物が無菌である、請求項１に記載の組成物。
【請求項１７】  滅菌は最終滅菌である、請求項１６に記載の処方物。
【請求項１８】  前記滅菌が滅菌充填である、請求項１６に記載の処方物。
【請求項１９】  ２μｇ／ｍｌのパラカルシン、
２０％（ｖ／ｖ）エタノール、
３０％（ｖ／ｖ）ＰＧ、および
５０％（ｖ／ｖ）の水
を含む、薬学的処方物。
【請求項２０】  ａ）水およびプロピレングリコールの混合物を調製する工程と、
ｂ）パラカルシンおよびエタノールの混合物を調製する工程と、
ｃ）工程ａ）および工程ｂ）からの混合物を合わせることにより均一な混合物を調製する工程と、
ｄ）前記均一な混合物をろ過する工程と
を包含する、治療有効量のパラカルシンを含む薬学的処方物の調製法。
【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】  以下の構造を有する化合物Ｅｔ７５７：
【化１】
2002510633.tif 000001
【請求項２】  以下の構造を有する化合物Ｂｏｃ−Ｅｔ７２９：
【化２】
2002510633.tif 000002
【請求項３】  以下の構造を有する化合物Ｉｓｏ−Ｅｔ７４３：
【化３】
2002510633.tif 000003
【請求項４】  以下の構造を有する化合物Ｅｔ８７５：
【化４】
2002510633.tif 000004
【請求項５】  以下の構造を有する化合物Ｅｔ１５６０：
【化５】
2002510633.tif 000005
【請求項６】  化合物Ｅｔ７５７と薬剤学的に許容される希釈剤、担体、または賦形剤を含んでなる医薬組成物。
【請求項７】  化合物Ｂｏｃ−Ｅｔ７２９と薬剤学的に許容される希釈剤、担体、または賦形剤を含んでなる医薬組成物。
【請求項８】  化合物Ｉｓｏ−Ｅｔ７４３と薬剤学的に許容される希釈剤、担体、または賦形剤を含んでなる医薬組成物。
【請求項９】  化合物Ｅｔ８７５と薬剤学的に許容される希釈剤、担体、または賦形剤を含んでなる医薬組成物。
【請求項１０】  化合物Ｅｔ１５６０と薬剤学的に許容される希釈剤、担体、または賦形剤を含んでなる医薬組成物。
【請求項１１】  哺乳動物の白血病、哺乳動物の黒色腫および哺乳動物の肺癌よりなる群から選択される哺乳動物腫瘍を治療するための医薬組成物であって、有効成分としての化合物Ｅｔ７５７と、薬剤学的に許容される担体、希釈剤、または賦形剤とを含む医薬組成物。
【請求項１２】  哺乳動物の白血病、哺乳動物の黒色腫および哺乳動物の肺癌よりなる群から選択される哺乳動物腫瘍を治療するための医薬組成物であって、有効成分としての化合物Ｂｏｃ−Ｅｔ７２９と、薬剤学的に許容される担体、希釈剤、または賦形剤とを含む医薬組成物。
【請求項１３】  哺乳動物の白血病、哺乳動物の黒色腫および哺乳動物の肺癌よりなる群から選択される哺乳動物腫瘍を治療するための医薬組成物であって、有効成分としての化合物Ｉｓｏ−Ｅｔ７４３と、薬剤学的に許容される担体、希釈剤、または賦形剤とを含む医薬組成物。
【請求項１４】  哺乳動物の白血病、哺乳動物の黒色腫および哺乳動物の肺癌よりなる群から選択される哺乳動物腫瘍を治療するための医薬組成物であって、有効成分としての化合物Ｅｔ８７５と、薬剤学的に許容される担体、希釈剤、または賦形剤とを含む医薬組成物。
【請求項１５】  哺乳動物の白血病、哺乳動物の黒色腫および哺乳動物の肺癌よりなる群から選択される哺乳動物腫瘍を治療するための医薬組成物であって、有効成分としての化合物Ｅｔ１５６０と、薬剤学的に許容される担体、希釈剤、または賦形剤とを含有する医薬組成物。
【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】  ヒト対象における確立された狼瘡疾患を後退させるための治療処置用の医薬製造のための可溶性ＣＤ４０ＣＲリガンドの使用であって、製造に用いた可溶性ＣＤ４０ＣＲリガンドが、
（ａ）抗−ｇｐ３９抗体もしくはそのフラグメント；または
（ｂ）ＣＤ４０ＣＲに結合できる一部分のＣＤ４０を含む融合蛋白質
を含む該使用。
【請求項２】  該治療処置が、さらに腎炎を低下させることを含む請求項１記載の使用。
【請求項３】  該治療処置が、さらに腎疾患を後退させることを含む請求項２記載の使用。
【請求項４】  医薬における該抗体もしくはフラグメントの量が、１０μｇ／ｍｌないし１０００μｇ／ｍｌの範囲にある請求項１〜３いずれか１記載の使用。
【請求項５】  該対象が、腎損傷によって示される狼瘡の進んだステージに
ある請求項１〜４いずれか１記載の使用。
【請求項６】  該融合蛋白質が、ＣＤ４０−Ｉｇである請求項１〜５いずれか１記載の使用。
【請求項７】  該医薬が、抗−ＤＮＡ抗体産生をブロックしない請求項１〜６いずれか１記載の使用。
【請求項８】  該医薬が、ＴＮＦ−αの産生も増加させるためのものである請求項１〜７いずれか１記載の使用。
【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】  哺乳動物における関節部位の軟骨に対する所望の正の効果を促進するための組成物であって、該所望の効果を促進し得る治療的に有効なレベルのＩＧＦ−Ｉを含む、組成物。
【請求項２】  前記組成物が、少なくとも０．０１ｍｇのＩＧＦ−Ｉを含み、投与のために処方される、請求項１に記載の組成物。
【請求項３】  前記組成物が、関節内注射による投与のために処方される、請求項２に記載の組成物。
【請求項４】  前記哺乳動物がヒトである、請求項３に記載の組成物。
【請求項５】  前記組成物が断続的投与のために処方され、ここで該断続的投与が、該組成物の単回用量の短期間の投与に続いての中断期間および前記軟骨に対する前記正の効果を達成するに必要なだけの長さの、投与に続いての中断というパターンの反復、を包含し、ここで該中断期間が、該組成物の残留時間よりも長い、請求項２に記載の組成物。
【請求項６】  前記組成物が、０．３ｍｇ、１．０ｍｇ、および３．０ｍｇからなる群より選択される量のＩＧＦ−Ｉを含む、請求項５に記載の組成物。
【請求項７】  前記ＩＧＦ−Ｉが持続放出性ＩＧＦ−Ｉである、請求項５に記載の組成物。
【請求項８】  哺乳動物における関節部位での軟骨障害を処置するための組成物であって、該関節部位の軟骨に対する所望の正の効果を促進し得る治療的に有効なレベルのＩＧＦ−Ｉを含む、組成物。
【請求項９】  前記組成物が、少なくとも０．０１ｍｇのＩＧＦ−Ｉを含み、投与のために処方される、請求項８に記載の組成物。
【請求項１０】  前記組成物が、関節内注射による投与のために処方される、請求項９に記載の組成物。
【請求項１１】  前記関節軟骨障害が変形性関節症である、請求項１０に記載の組成物。
【請求項１２】  前記関節軟骨障害が、外傷関連損傷から生じる、請求項１０に記載の組成物。
【請求項１３】  前記組成物が断続的投与のために処方され、ここで該断続的投与が、該組成物の単回用量の短期間の投与に続いての中断期間および前記軟骨障害の前記処置を達成するための、投与に続いての中断というパターンの反復、を包含し、ここで該中断期間が、前記部位での該組成物の残留時間よりも長い、請求項９に記載の組成物。
【請求項１４】  前記組成物が、０．３ｍｇ、１．０ｍｇ、および３．０ｍｇからなる群より選択される量のＩＧＦ−Ｉを含む、請求項１３に記載の組成物。
【請求項１５】  前記ＩＧＦ−Ｉが持続放出性ＩＧＦ−Ｉである、請求項１３に記載の組成物。
【請求項１６】  前記組成物が断続的投与のために処方され、ここで該断続的投与が、該組成物の単回用量の短期間の投与に続いての中断期間および変形性関節症の前記処置を達成するに必要なだけの長さの、投与に続いての中断というパターンの反復、を包含し、ここで該中断期間が、該組成物の残留時間よりも長い、請求項１１に記載の組成物。
【請求項１７】  前記組成物が、０．３ｍｇ、１．０ｍｇ、および３．０ｍｇからなる群より選択される量のＩＧＦ−Ｉを含む、請求項１６に記載の組成物。
【請求項１８】  前記ＩＧＦ−Ｉが持続放出性ＩＧＦ−Ｉである、請求項１６に記載の組成物。
【請求項１９】  前記組成物が断続的投与のために処方され、ここで該断続的投与が、該組成物の単回用量の短期間の投与に続いての中断期間および前記外傷関連損傷の前記処置を達成するための、投与に続いての中断というパターンの反復、を包含し、ここで該中断期間が、前記部位での該組成物の残留時間よりも長い、請求項１２に記載の組成物。
【請求項２０】  前記組成物が、０．３ｍｇ、１．０ｍｇ、および３．０ｍｇからなる群より選択される量のＩＧＦ−Ｉを含む、請求項１９に記載の組成物。
【請求項２１】  前記ＩＧＦ−Ｉが持続放出性ＩＧＦ−Ｉである、請求項１９に記載の組成物。
【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  
心臓肥大を有する患者に投与するために処方されている、治療に有効な量のインターフェロンガンマ（ＩＦＮ−γ）を含有する、心臓肥大を治療するための組成物。
【請求項２】  
前記患者が、ヒトである、請求項１に記載の組成物。
【請求項３】  
前記ＩＦＮ−γが、組み換えヒトＩＦＮ−γ（ｒｈ−ＩＦＮ−γ）である、請求項２に記載の組成物。
【請求項４】  
前記ＩＦＮ−γが、ｒｈＩＦＮ−γ−１ｂである、請求項３に記載の組成物。
【請求項５】  
前記心臓肥大が、上昇されたレベルのＰＧＦ2αの存在によって特徴付けられる、請求項３に記載の組成物。
【請求項６】  
前記心臓肥大が、心筋梗塞によって誘導された、請求項２に記載の組成物。
【請求項７】  
前記ＩＦＮ−γ投与が、心筋梗塞後４８時間以内に開始される、請求項６に記載の組成物。
【請求項８】  
前記ＩＦＮ−γ投与が、心筋梗塞後２４時間以内に開始される、請求項７に記載の組成物。
【請求項９】  
前記患者が、心臓肥大を発症する危険性がある、請求項２に記載の組成物。
【請求項１０】  
前記患者が、心筋梗塞に罹患している、請求項９に記載の組成物。
【請求項１１】  
前記ＩＦＮ−γ投与が、心筋梗塞後４８時間以内に開始される、請求項１０に記載の組成物。
【請求項１２】  
前記ＩＦＮ−γ投与が、心筋梗塞後２４時間以内に開始される、請求項１１に記載の組成物。
【請求項１３】  
前記ＩＦＮ−γが、心臓肥大の処置または心臓肥大をもたらす心臓疾患の処置に使用される、少なくとも一種のさらなる治療剤と組み合わせて投与するために処方されている、請求項２に記載の組成物。
【請求項１４】  
前記さらなる治療剤が、β−アドレナリンブロック剤、ベラパミル、ジフェジピン、およびジルチアゼムからなる群より選択される、請求項１３に記載の組成物。
【請求項１５】  
前記β−アドレナリンブロック剤が、カルベジロール、プロプラノロール、メトプロロール、チモロール、オキシプレノロール、またはテルタトロールである、請求項１４に記載の組成物。
【請求項１６】  
前記ＩＦＮ−γが、抗高血圧剤と組み合わせて投与される、請求項１３に記載の組成物。
【請求項１７】  
前記ＩＦＮ−γが、ＡＣＥ阻害剤ともに投与される、請求項１３に記載の組成物。
【請求項１８】  
前記ＩＦＮ−γが、エンドセリンレセプターアンタゴニストとともに投与される、請求項１３に記載の組成物。
【請求項１９】  
前記ＩＦＮ−γが、血栓溶解剤の投与後に投与にされる、請求項１３に記載の組成物。
【請求項２０】  
前記血栓溶解剤が、組み換えヒト組織プラスミノーゲン活性化因子（ｒｈｔ−ＰＡ）である、請求項１８に記載の組成物。
【請求項２１】  
前記ＩＦＮ−γが、急性心筋梗塞の処置のために、最初の血管形成術後に投与される、請求項１３に記載の組成物。
【請求項２２】  
薬学的に受容可能なキャリアと、治療に有効な量のインターフェロンガンマ（ＩＦＮ−γ）を混合する工程を包含する、心臓肥大の処置のための薬学的組成物を調製する、方法。
【請求項２３】  
前記薬学的組成物が、液体である、請求項２２に記載の方法。
【請求項２４】  
前記薬学的組成物が、保存剤を含有する、請求項２２に記載の方法。
【請求項２５】  
前記薬学的組成物が、注射可能な処方物である、請求項２３に記載の方法。
【請求項２６】  
心臓肥大の処置における薬学的製品の使用であって、該薬学的製品が、以下：
（ａ）少なくとも一種の治療に有効な用量のＩＦＮ−γを含有する、薬学的組成物；
（ｂ）該薬学的組成物を含有する、容器；および、
（ｃ）心臓肥大の処置における該ＩＦＮ−γの使用に言及している、該薬学的製品に含まれる該容器に添付されたラベルまたはパッケージビラ、
を包含する、薬学的製品の使用。
【請求項２７】  
前記容器が、無菌連結口を有する、請求項２６に記載の使用。
【請求項２８】  
前記容器が、皮下注射針によって刺し通せる栓を有する、静脈溶液バッグまたはバイアルである、請求項２６に記載の使用。
【請求項２９】  
請求項１から２１のいずれかに記載の心臓肥大を処置するための方法における使用のための、ＩＦＮ−γ。
【請求項３０】  
請求項１から２１のいずれかに記載の心臓肥大の処置のための医薬の調製のための、ＩＦＮ−γの使用。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  Ｎ−（ホスホノメチル）グリシンまたはその塩と、式（Ｖ）： 
【化１】
2002510605.tif 000001
（式中、Ｒ１はハロアルキルであり、 Ｒ２はハロゲンおよび低級アルキルから成る群から選択され、 Ｒ３は−ＣＨ２ＣＨＣｌＣＯ２Ｒ６および−ＮＨＳＯ２Ｒ５から成る群から選択され、 Ｒ６はアルキル、アルコキシカルボニルアルキル、シクロアルキル、ベンジル、クロロベンジル、アルキルベンジルおよびハロアルキルベンジルから成る群から選択され、 Ｒ５はアルキル、ハロアルキル、ジアルキルアミノ、カルボキシメチル、ヒドロキシおよびアリールから成る群から選択され、 Ｘは水素、ハロゲン、アルキル、アルコキシ、ハロアルキルおよびニトロから成る群から選択され、 Ｙは水素、ハロゲン、アルキル、アルコキシ、ハロアルキル、ハロ低級アルキルスルフィニルおよびハロ低級アルコキシから成る群から選択される）の構造を有するトリアゾリノン除草剤またはその互変異性体とを含み、前記Ｎ−（ホスホノメチル）グリシンまたはその塩が、実質的に水性の相に溶解し、前記トリアゾリノン除草剤が実質的に疎水性の相に溶解する組成物。
【請求項２】  前記トリアゾリノン除草剤と等価な酸として表されるＮ−（ホスホノメチル）グリシンまたはその塩の重量比が約１：１ないし約１００：１である請求項１記載の組成物。
【請求項３】  前記トリアゾリノン除草剤と等価な酸として表されるＮ−（ホスホノメチル）グリシンまたはその塩の重量比が約５：１ないし約５０：１である請求項２記載の組成物。
【請求項４】  前記疎水性の相が水性の相に分散されてエマルジョンを形成する請求項１記載の組成物。
【請求項５】  前記疎水性の相がさらに乳化剤を含む請求項４記載の組成物。
【請求項６】  前記乳化剤がアニオン性界面活性剤を含む請求項５記載の組成物。
【請求項７】  前記乳化剤がアルキルベンゼンスルホン酸塩を含む請求項６記載の組成物。
【請求項８】  前記乳化剤がさらに非イオン性界面活性剤を含む請求項６記載の組成物。
【請求項９】  前記疎水性の相がさらに乳化安定剤を含む請求項４記載の組成物。
【請求項１０】  前記疎水性の相がさらに消泡剤を含む請求項４記載の組成物。
【請求項１１】  前記水性の相がさらに界面活性剤を含む請求項４記載の組成物。
【請求項１２】  前記界面活性剤が、エトキシル化アルキルアミン、エトキシル化アルキルポリアミン、アルキルポリグルコシド、アルコキシル化アセチレニックジオール、ポリオキシアルキレンアルキルエーテル、有機シリコーン、エトキシル化アルコール、エトキシル化ゲルベアルコール、アルキルフェノールエトキシレート、硫酸化ポリオキシアルキレンアルキルフェノール、アルコール硫酸エステル、ポリオキシアルキレンアルコール硫酸エステル、モノアルコールリン酸エステル、ジアルコールリン酸エステル、モノ（ポリオキシアルキレンアルコール）リン酸エステル、ジ（ポリオキシアルキレンアルコール）リン酸エステル、モノ（ポリオキシアルキレンアルキルフェノール）リン酸エステル、ジ（ポリオキシアルキレンアルキルフェノール）リン酸エステル、ポリオキシアルキレンアルキルフェノールカルボン酸エステル、ポリオキシアルキレンアルコールカルボン酸エステル、フッ素化界面活性剤、エーテルアミン界面活性剤、アルキルスルホネート、アルキルフェニルスルホネ−ト、硫酸アルキル、アルキルフェノール硫酸エステル、アルキルベタイン界面活性剤、カルボン酸アルキル、エトキシル化アルキルアミド、四級アルキルアミンおよびこれらの組み合わせから成る群から選択される化合物を含む請求項１１記載の組成物。
【請求項１３】  前記界面活性剤が、エトキシル化アルキルアミンを含む請求項１２記載の組成物。
【請求項１４】  前記界面活性剤が、エーテルアミン界面活性剤であることを特徴とする請求項１２記載の組成物。
【請求項１５】  前記水性の相がＮ−（ホスホノメチル）グリシンの塩を含む請求項４記載の組成物。
【請求項１６】  前記水性の相がＮ−（ホスホノメチル）グリシンのモノ（イソプロピルアンモニウム）塩、エトキシル化アルキルアミン界面活性剤、亜硫酸ナトリウム、プロピレングリコールおよび水を含み、疎水性の相がカルフェントラゾン−エチル、芳香族系溶剤、ドデシルベンゼンスルホン酸カルシウム、非イオン性界面活性剤、およびシリコーン消泡剤を含み、疎水性の相が水性の相に分散されてエマルジョンを形成する請求項４記載の組成物。
【請求項１７】  前記請求項１〜１６のいずれか１記載の除草組成物を製造する方法であって、前記方法が： （ａ）トリアゾリノン除草剤を含む疎水性溶液を作ること、（ｂ）Ｎ−（ホスホノメチル）グリシンまたはその塩を含む水溶液を作ること、（ｃ）疎水性の溶液を水溶液に分散させてエマルジョンを形成させることを含み、前記トリアゾリノン除草剤が、式（Ｖ）： 
【化２】
2002510605.tif 000002
（式中、Ｒ１はハロアルキルであり、Ｒ２はハロゲンおよび低級アルキルから成る群から選択され、Ｒ３は−ＣＨ２ＣＨＣｌＣＯ２Ｒ６および−ＮＨＳＯ２Ｒ５から成る群から選択され、Ｒ６はアルキル、アルコキシカルボニルアルキル、シクロアルキル、ベンジル、クロロベンジル、アルキルベンジルおよびハロアルキルベンジルから成る群から選択され、Ｒ５はアルキル、ハロアルキル、ジアルキルアミノ、カルボキシメチル、ヒドロキシおよびアリールから成る群から選択され、Ｘは水素、ハロゲン、アルキル、アルコキシ、ハロアルキルおよびニトロから成る群から選択され、Ｙは水素、ハロゲン、アルキル、アルコキシ、ハロアルキル、ハロ低級アルキルスルフィニルおよびハロ低級アルコキシから成る群から選択される）またはその互変異性体の構造を有することを特徴とする除草組成物の製造方法。
【請求項１８】  植物を処理する方法であって、前記方法が、植物の葉を、Ｎ−（ホスホノメチル）グリシンまたはその塩と、トリアゾリノン除草剤を含む組み合わせの生物学的有効量と接触させることを含み、前記トリアゾリノン除草剤が、式（ＩＩ）： 
【化３】
2002510605.tif 000003
（式中、Ｒ１はハロアルキルであり、Ｒ２はハロゲンおよび低級アルキルから成る群から選択され、Ｒ３は−ＮＨＳＯ２Ｒ５であり、Ｒ５はアルキル、ハロアルキル、ジアルキルアミノ、カルボキシメチル、ヒドロキシおよびアリールから成る群から選択され、Ｘは水素、ハロゲン、アルキル、アルコキシ、ハロアルキルおよびニトロから成る群から選択され、Ｙは水素、ハロゲン、アルキル、アルコキシ、ハロアルキル、ハロ低級アルキルスルフィニルおよびハロ低級アルコキシから成る群から選択される）またはその互変異性体の構造を有し、前記組み合わせが組成物を含み、前記組成物において、前記Ｎ−（ホスホノメチル）グリシンまたはその塩が実質的に水性の相に溶解し、前記トリアゾリノン除草剤が実質的に疎水性の相に溶解し、疎水性の相が水性の相に分散されてエマルジョンを形成することを特徴とする植物の処理法。
【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】  生きている植物組織上の微生物病原体を抑制する方法であって、有効量のＣ2−Ｃ4ペルオキシカルボン酸及び脂肪族Ｃ8−Ｃ12ペルオキシカルボン酸を含む希釈水溶液で、前記植物組織を処理することを含む方法。
【請求項２】  前記植物組織が種子を含むことを特徴とする請求項１に記載の方法。
【請求項３】  前記植物組織が生長中の植物を含むことを特徴とする請求項１に記載の方法。
【請求項４】  前記水溶液が、
（ａ）少なくとも約４ピー・ピー・エム（ppm ）のＣ2−Ｃ4ペルオキシカルボン酸と、
（ｂ）少なくとも約１ピー・ピー・エム（ppm ）の脂肪族Ｃ8−Ｃ12ペルオキシカルボン酸と、
を含むことを特徴とする請求項１に記載の方法。
【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】  式（Ｉ）：
【化１】
2002510691.tif 000001
［式中、ＸはＨ、ＯＨまたはハロであり；またＲ1およびＲ2は、独立して、Ｃ1-12アルキル、アリール、Ｃ1-12アルキルアリール、Ｃ1-12アルキルシリル、アリールシリルおよびＣ1-12アルキルアリールシリルから選択されるか、またはＲ1およびＲ2は、一緒になって環状アセタールまたはケタールを形成する]
で示される化合物の製法であって、パラジウム（０）触媒およびリガンドの存在下、式（ＩＩ）：
【化２】
2002510691.tif 000002
［式中、Ｘは式（Ｉ）で定義した通りである］
で示される化合物と式（ＩＩＩ）：
【化３】
2002510691.tif 000003
［式中Ｙは、脱離基であり、Ｒ1およびＲ2は式（Ｉ）で定義した通りである］
で示される化合物とを反応させることを含む方法。
【請求項２】  Ｘがクロロである場合の請求項１記載の方法。
【請求項３】  Ｒ1およびＲ2が結合して、式（ＩＶ）：
【化４】
2002510691.tif 000004
［式中、Ｒ3およびＲ4は、独立してＨ、Ｃ1-12アルキルおよびアリールから選択される］
で示される６員環状アセタールまたはケタールを形成する場合の請求項１または２に記載の方法。
【請求項４】  Ｒ3およびＲ4がいずれもメチルである場合の請求項３記載の方法。
【請求項５】  触媒が、テトラキス（トリフェニルホスフィン）パラジウム（０）、トリス（ジベンジリデンアセトン）ジパラジウム（０）クロロホルムまたはすべてのパラジウム（０）ジベンジリデン触媒から選択される場合の請求項１〜４のいずれか一つに記載の方法。
【請求項６】  リガンドが、１，２−ビス（ジフェニルホスフィノ）エタン[ＤＩＰＨＯＳ]、亜リン酸トリメチルオルプロパン[ＴＭＰＰ]およびビス（ジフェニルホルフィノ）プロパン[ＤＰＰＰ]から選択される場合の請求項１〜５のいずれか一つに記載の方法。
【請求項７】  式（ＩＩ）の化合物および式（ＩＩＩ）の化合物間の反応が塩基の存在下で行われる場合の請求項１〜６のいずれか一つに記載の方法。
【請求項８】  脱離基Ｙが、炭酸Ｃ1-6アルキルまたはアリール、Ｃ1-6アシルオキシおよびリン酸Ｃ1-6アルキルから選択される場合の請求項１〜７のいずれか一つに記載の方法。
【請求項９】  式（Ｉ）：
【化５】
2002510691.tif 000005
［式中、ＸはＨ、ＯＨまたはハロであり；またＲ1およびＲ2は、独立して、Ｃ1-12アルキル、アリール、Ｃ1-12アルキルアリール、Ｃ1-12アルキルシリル、アリールシリルおよびＣ1-12アルキルアリールシリルから選択されるか、またはＲ1およびＲ2は一緒になって環状アセタールまたはケタールを形成する]
で示される化合物。
【請求項１０】  式（ＩＩＩ）：
【化６】
2002510691.tif 000006
［式中、Ｙは脱離基であり、Ｒ1およびＲ2は一緒になって環状アセタールまたはケタールを形成する]
で示される化合物。
【請求項１１】  ２，２−ジメチル−５−エテニル−１，３−ジオキサン−５−炭酸メチルである請求項１０記載の化合物。
【請求項１２】  式（Ｖ）：
【化７】
2002510691.tif 000007
［式中、Ｘ’はＨまたはＯＨであり；またＲ5およびＲ6は、独立して、ＨおよびＲ’ＣＯから選択され、ここで、Ｒ’はフェニル、Ｃ1-18アルキルまたはホスホリルを意味する]
で示される化合物の製法であって、請求項１ないし８のいずれかで定義した方法に従って、式（Ｉ）の化合物を製造し、式（Ｉ）の化合物を水素添加し、−ＯＲ1および−ＯＲ2を２つのヒドロキシ基に変換し、さらにその後、要すれば必要に応じて： 
（ｉ）  得られた４−ヒドロキシ−３−ヒドロキシメチルブタ−１−イル基上の１個または両方のヒドロキシ基を変換し、Ｒ5およびＲ6がＲ’ＣＯを示す化合物を形成する；および／または、
（ｉｉ）  ＸをＸ’に変換する
ことを含む方法。
【請求項１３】  式（Ｖ）の化合物が、９−（４−アセトキシ−３−アセトキシメチルブタ−１−イル）−２−アミノプリン（ファムシクロビル）、または９−（４−ヒドロキシ−３−ヒドロキシメチルブタ−１−イル）グアニン（ペンシクロビル）である場合の請求項１２記載の方法。
【請求項１４】  エチリデン基の水素添加が、パラジウム触媒およびトリエチルアミン、酢酸ナトリウム、水酸化カリウム、水性水酸化ナトリウム、塩基性アルミナおよび塩基性イオン交換樹脂から選択される塩基存在下、式（Ｉ）の化合物の水素添加によりなされる場合の請求項１２または１３に記載の方法。
【手続補正２】
【補正対象書類名】明細書
【補正対象項目名】００２１
【補正方法】変更
【補正の内容】
【００２１】
脱離基Ｙは、炭酸Ｃ1-6アルキルまたはアリール、例えば炭酸メチルまたは炭酸フェニル、Ｃ１−６アシルオキシ、例えば酢酸またはトリフルオロ酢酸、およびリン酸Ｃ1-6アルキル、例えばリン酸ジエチルからなる群から選択されてもよい。しかしながら、炭酸Ｃ1-6アルキルが好ましい。というのも、式（ＩＩ）の化合物と反応させた場合には揮発性の副生成物を生じるためである。脱離基は、例えば、所望により、式（ＶＩ）の化合物とビニルカルバニオンの間の反応物をクロロギ酸Ｃ1-6アルキル、例えば、クロロギ酸メチルでクエンチすることで導入してもよい。ビニルカルバニオンと式（ＶＩ）の化合物を反応させて生成した５−ビニル−５−ヒドロキシ中間体を単離し、脱離基Ｙを導入してもよい。式（ＩＩＩ）の化合物を単離し、公知の方法で精製してもよい。さらに、式（ＩＩＩ）の化合物を精製せずに粗油として使用してもよい。